(57)【要約】【課題】雌ネジを内装するキャップを有する液状化粧料容器において、キャップの共回り及びガタつきを防止する。【解決手段】化粧料容器本体（１）の雄ネジ部（６）を、口ネジ体（７）、シゴキ体（１４）及び口筒部（１７）から構成し、シゴキ体（１４）を挟持しつつ口ネジ体（７）を口筒部（１７）に対して噛合させ、更に口筒部（１７）の本体リブ（２０）と口ネジ体（７）の口ネジリブ（１２）とを係合させて一体に構成することで、部品点数及び作業工程を削減して製造コストを削減しつつ、ガタなどの発生を防止することができる。【選択図】        図４
2005034230.tif 000002
【特許請求の範囲】
【請求項１】
内部に液状化粧料を貯留すると共に、その上部に内部に連通する孔部を有する雄ネジ部を付設する化粧料容器本体と、該化粧料容器本体内部に貯留する液状化粧料を塗布するために使用する塗布体を一体に内装し、該化粧料容器本体の上部に付設する雄ネジ部に対して、その内側に配設される雌ネジ体を以て螺合させることで化粧料容器本体と一体になるキャップからなり、
当該化粧料容器本体の上部においてキャップを螺合させるため付設する雄ネジ部は、口ネジ体、シゴキ体及び化粧料容器本体の上部に一体に形成される口筒部から構成され、
該雄ネジ部を構成する口ネジ体は基部と先端部から一体に形成されるものであって、該先端部外周面には雄ネジが、該基部内周面には雌ネジが各々刻設されると共に、該基部内周端縁には半径内方向に向かって突出する突条体を配置してなる口ネジリブが配設されるものであり、
該雄ネジ部を構成するシゴキ体は、下端に半径外方向に突出するフランジを有する円筒状であって、その内周面に全周に渡って弾性を有する舌片状のシゴキを配設してなるものであり、
該雄ネジ部を構成し、化粧料容器本体に一体に形成される口筒部は、化粧料容器本体内に連通するように孔部を有する円筒状であって、該円筒状の口筒部上部外周面には、前記口ネジ体の基部内周面に刻設される雌ネジに噛合する雄ネジが刻設されると共に、該円筒状の口筒部下部外周面には、前記口ネジ体の基部内周端縁に設けられた突条体と係合する、半径外方向に突出する係合面とネジ締め付け方向に向かって膨出するように形成される湾曲面とからなる略三角柱状の係合体を配置してなる本体リブを一体に形成し、
化粧料容器本体に一体に形成される口筒部に対して、シゴキ体をその内部に挟持するように口ネジ体を装着し、該口筒部上部の外周面に刻設される雄ネジに対して、該口ネジ体の基部内周面に刻設される雌ネジを噛合させると共に、該口ネジ体の基部内周端縁に設けられる口ネジリブの突条体と、該円筒状の口筒部下部外周面に設けられる本体リブの係合体とを係合固定することで、該口ネジ体、シゴキ体及び口筒部が一体となって、当該雄ネジ部を構成してなる
液状化粧料容器。
【発明の詳細な説明】
【０００１】
【発明が属する技術分野】
この発明は、化粧料、特にコーンシーラー、アイシャドウ、アイブロー、マスカラ等の液状化粧料に使用される液状化粧料容器の構造に関する。
【０００２】
【従来の技術】
従来、化粧料、特にコーンシーラー、アイシャドウ、アイブロー、マスカラ等の液状化粧料に使用される液状化粧料容器において、当該液状化粧料容器の容器本体内に貯留する液状化粧料を塗布するために使用する塗布体を一体に内装するキャップは、当該容器本体に一体となるよう構成され、外表面に雄ネジを配設する筒状の雄ネジ部と、当該キャップ内に内設される雌ネジ部とを螺合させることにより、当該容器本体と一体となるものである。そして、この容器本体とキャップとを一体とする容器本体の雄ネジ部は、使用に際してキャップに一体に内装される塗布体に余分に付着した液状化粧料を拭えるようにシゴキ等が必要であることから、容器本体に一体に形成された口筒部に対して、雄ネジ体、シゴキ体等の複数の部品を覆うカバー体をカシメて固定することにより構成されているものが一般的である。
【０００３】
【発明が解決しようとする課題】
しかしながら、上記従来の液状化粧料容器の雄ネジ部は、容器本体に一体に形成された口筒部に対して、雄ネジ体、シゴキ体等の複数の部品を覆うカバー体をカシメて固定するだけのものであるから、この雄ネジ部に対して一体となるキャップを反復して開け閉めすることで繰り返し大きな負荷が加わると、該口筒部のカシメにおいて緩みが生じやすく、当該雄ネジ部を構成する複数の部品を一体にカシメて固定している力が失われやすいという欠点を有するものである。このため、液状化粧料を塗布する際に、容器本体内に貯留する液状化粧料が僅かでも当該雄ネジ部に付着し、この雄ネジ部に付着した液状化粧料が乾燥固化したり、またキャップを当該雄ネジ部に締め込む際に当該キャップの雌ネジ部が雄ネジ部の終端に達しているにもかかわらず、更に強く締め込むことでキャップの雌ネジ部と該雄ネジ部とが互いにそのネジを噛み込みながら変形すること等によりキャップと雄ネジ部とが一体に固着してしまうと、再度キャップを取り外そうとしても、キャップは容器本体の雄ネジ部と共に一体となって共回りしてしまい、最終的にはキャップを取り外すことができなくなるというおそれがある。
【０００４】
そこで、上記従来の液状化粧料容器に対して、上記キャップを螺合させる雄ネジ部を、容器本体の口筒部に対して、カバー体である金属リングにより、雄ネジ体である筒部材及びシゴキ部材を固定してなるものであって、該筒部材には、互いに対向して位置するように一対の係止脚部を設けると共に、口筒部の上部部分に、平坦面からなる係止部を互いに周方向に１８０度離間して設けてなるものであって、該筒部材の係止脚部を口筒部の上部部分の係止部に係合させた上で、金属リングを口筒部の上部部分を含めシゴキ部材と筒部材に被せ、その金属リングの下端を口筒部の上部部分の下方に巻き付けるようにカシメてなるものが提案されている（特開平９−３０８５２４号）。
【０００５】
上記特開平９−３０８５２４号の場合は、確かにキャップが螺合する雄ネジ部を構成する筒部材は、口筒部の上部部分に互いに周方向に１８０度離間して設けてなる平坦面からなる係止部に対して、該筒部材の係止脚部を口筒部の上部部分の係止部に係合させた上で金属リングを被せて固定するものであるので、付着した液状化粧料の乾燥固化や過剰な締め込みによるネジの噛み込みよりキャップと雄ネジ部とが一体に固着してしまっても、それを開放するためにキャップに大きな荷重をかけた際には、上記筒部材の係止脚部と口筒部の上部部分の係止部との係合によってこのキャップに係る大きな荷重を受けることとなるので、両者が共回りすることはなく、キャップと雄ネジ部を構成する筒部材との固着を確実に解いて、キャップを容器本体の雄ネジ部から取り外すことができるものである。
しかし、雄ネジ部を構成する筒部材及びシゴキ部材を容器本体の口筒部に対して固定するにあたっては、従来の液状化粧料容器と同様に、金属リングの下端を口筒部の上部部分の下方に巻き付けるように単にカシメて固定しているだけなので、金属リングを容器本体の口筒部に対して固定する力は従来と変わらず、付着した液状化粧料の乾燥固化によるキャップと金属リング自体との固着や、反復してキャップの過剰な締め込みが行われることにより生じる筒部材のねじ部とキャップとの噛み込みによる強固な固着を解くために、その固着したキャップを介して当該金属リングの口筒部に対するカシメ部分に直接的又は間接的に再三にわたり過大な荷重が加わると、金属リングの下端を口筒部の上部部分の下方に巻き付けるようにカシメている部分に緩みが発生すると共に、次第に筒部材の係止脚部と口筒部の上部部分の係止部との係合にも変形が生じて、筒部材の係止脚部と口筒部の上部部分の係止部との係合にも緩みが生じるものとなる。従って、金属リングによる容器本体の口筒部に対する筒部材及びシゴキ部材の固定が不十分となって緩みが生じると、上記雄ネジ部を構成する筒部材及びシゴキ部材間にガタが生じ、キャップの脱着を円滑に行うことができない上、液状化粧料の漏出等の不具合を招いてしまうこともある。
【０００６】
一方、従来の液状化粧料容器においては、上述のように化粧料容器本体の雄ネジ部は複数の部品から構成されると共に、該雄ネジ部の構成にあたっては、該複数の部品を最終的にカシメ作業により一体としているものであるから、部品点数の多さ及び製造作業が複雑となる点で液状化粧料容器の製造コストが上昇してしまう欠点もある。
【０００７】
そこで、この発明は上記従来のものの有する問題を解決するものであり、部品点数の削減及び製造作業の簡略化により製造コストの削減を図りつつも、キャップを脱着する化粧料容器本体の雄ネジ部において、この雄ネジ部を構成する各部品を確実に固定し、キャップと該雄ネジ部との固着を防ぎつつ円滑且つ確実なキャップの脱着ができるようにするものである。
【０００８】
【課題を解決するための手段】
そのために、内部に液状化粧料を貯留すると共に、その上部に内部に連通する孔部を有する雄ネジ部を付設する化粧料容器本体と、該化粧料容器本体内部に貯留する液状化粧料を塗布するために使用する塗布体を一体に内装し、該化粧料容器本体の上部に付設する雄ネジ部に対して、その内側に配設される雌ネジ体を以て螺合させることで化粧料容器本体と一体になるキャップからなり、当該化粧料容器本体の上部においてキャップを螺合させるため付設する雄ネジ部は、口ネジ体、シゴキ体及び化粧料容器本体の上部に一体に形成される口筒部から構成され、該雄ネジ部を構成する口ネジ体は基部と先端部から一体に形成されるものであって、該先端部外周面には雄ネジが、該基部内周面には雌ネジが各々刻設されると共に、該基部内周端縁には半径内方向に向かって突出する突条体を配置してなる口ネジリブが配設されるものであり、該雄ネジ部を構成するシゴキ体は、下端に半径外方向に突出するフランジを有する円筒状であって、その内周面に全周に渡って弾性を有する舌片状のシゴキを配設してなるものであり、該雄ネジ部を構成し、化粧料容器本体に一体に形成される口筒部は、化粧料容器本体内に連通するように孔部を有する円筒状であって、該円筒状の口筒部上部外周面には、前記口ネジ体の基部内周面に刻設される雌ネジに噛合する雄ネジが刻設されると共に、該円筒状の口筒部下部外周面には、前記口ネジ体の基部内周端縁に設けられた突条体と係合する、半径外方向に突出する係合面とネジ締め付け方向に向かって膨出するように形成される湾曲面とからなる略三角柱状の係合体を配置してなる本体リブを一体に形成し、化粧料容器本体に一体に形成される口筒部に対して、シゴキ体をその内部に挟持するように口ネジ体を装着し、該口筒部上部の外周面に刻設される雄ネジに対して、該口ネジ体の基部内周面に刻設される雌ネジを噛合させると共に、該口ネジ体の基部内周端縁に設けられる口ネジリブの突条体と、該円筒状の口筒部下部外周面に設けられる本体リブの係合体とを係合固定することで、該口ネジ体、シゴキ体及び口筒部が一体となって、当該雄ネジ部を構成してなるものである。
【０００９】
【発明の実施の形態】
この発明においては、液状化粧料容器の雄ネジ部は、口ネジ体、シゴキ体及び化粧料容器本体の上部に一体に形成される口筒部から構成され、これらを一体として雄ネジ部を構成しようとする場合には、該口筒部に対してシゴキ体をその内部に挟持するように口ネジ体を装着し、該口筒部上部の外周面に刻設される雄ネジに対して、該口ネジ体の内周面に刻設される雌ネジを噛合させる。そして、該口ネジ体を形成する基部内周端縁において半径内方向に向かって突出する突条体を配置してなる口ネジリブと、該円筒状の口筒部下部の外周面に設けられた、半径外方向に突出する係合面とネジ締め付け方向に向かって膨出するように形成される湾曲面とからなる略三角柱状の係合体を配置してなる本体リブとを係合固定することで、該口ネジ体、シゴキ体及び口筒部が一体となって雄ネジ部を構成するものである。即ち、該口ネジ体の口ネジリブと該口筒部の本体リブとを係合固定するにあたっては、該口筒部の本体リブは、ネジ締め付け方向に向かって膨出するように形成される湾曲面を有する略三角柱状の係合体を配置しているものであって、またこの該口筒部の本体リブに係合しようとする該口ネジ体の口ネジリブは、基部内周端縁において半径内方向に向かって突出する突条体を配置してなるものであるので、先ず、口ネジ体を口筒部に対して噛合させた上、ネジ締め付け方向に回動させていくと、口ネジ体の口ネジリブの突条体が、口筒部の本体リブにおける係合体の湾曲面に沿って締め付け方向に円滑に摺動して行き、更に該口筒部の本体リブにおける係合体のネジ締め付け方向に向かって膨出するように形成される湾曲面の終端を越えた途端、口ネジ体の口ネジリブにおける突条体と口筒部の本体リブにおける略三角柱状の係合体の半径外方向に突出する係合面とが強固に係合するものとなる。つまり、口ネジ体を口筒部に対してネジ緩め方向に回動させようとしても、該口ネジ体の口ネジリブにおける突条体と口筒部の本体リブにおける略三角柱状の係合体の係合面との強固な係合により、回動は阻止されて固定されていることとなる。従って、繰り返すキャップの脱着によるガタ等は起こりにくく、漏出した液状化粧料が乾固してキャップが口ネジ体に固着してしまい、これを脱着すべくネジ緩め方向へ大きな回転力をキャップにかけても、口ネジ体は化粧料容器本体に対して共回りすることもないので、雄ネジ部とキャップとの噛合に対して大きな力が加わり円滑且つ確実にキャップの脱着を行うことができるものとなる。
【００１０】
【実施例】
この発明を図に示す実施例により更に説明する。（１）はこの発明の実施例である液状化粧料容器であり、この液状化粧料容器（１）は、その内部において、例えばコーンシーラー、アイシャドウ、アイブロー、マスカラ等の液状化粧料を貯留する化粧料容器本体（５）と、該液状化粧料を塗布するに当たって使用する塗布体（３）を一体に装着するキャップ（２）とから構成される。
【００１１】
また、化粧料容器本体（５）とキャップ（２）とは、化粧料容器本体（５）に一体に形成される雄ネジ部（６）とキャップ（２）内に内装される雌ネジ部（４）との噛合により着脱自在に一体となるものである。
【００１２】
そして、該化粧料容器本体（５）に一体に形成される雄ネジ部（６）は、図４の分解斜視図において示すように、口ネジ体（７）、シゴキ体１４）及び化粧料容器本体（５）の上部に一体に形成される口筒部（１７）から構成されるものである。
【００１３】
このとき、該雄ネジ部（６）を構成する口ネジ体（７）は先端部である径小部（８）と、基部である径大部（１０）が一体に形成されたものであって、該径小部（８）外周面には雄ネジ（９）が、又、該径大部（１０）内周面には雌ネジ（１０’）が各々刻設されると共に、該径大部（１０）内周端縁（１１）には半径内方向に向かって突出する８個の突条体（１３）を均等に配置してなる口ネジリブ（１２）が配設されるものである。又、該雄ネジ部（６）を構成するシゴキ体（１４）は、下端に半径外方向に突出するフランジ（１５）を有する円筒状であって、その内周面に全周に渡って弾性を有する舌片状のシゴキ（１６）を配設してなるものである。そして、該雄ネジ部（６）を構成し、化粧料容器本体（５）に一体に形成される口筒部（１７）は、化粧料容器本体（５）内に連通するように孔部（１８）を有する円筒状であって、該円筒状の口筒部（１７）上部外周面には、前記口ネジ体（７）の径大部（１０）内周面に刻設される雌ネジ（１０’）に噛合する雄ネジ（１９）が刻設されると共に、該円筒状の口筒部（１７）下部であって、の化粧料容器本体（５）の肩部（５’）上の位置において、半径方向に突出する係合面（２３）とネジ締め付け方向に向かって膨出するように形成される湾曲面（２２）とからなる略三角柱状の係合体（２１）４個を均等に配置してなる本体リブ（２０）を一体に形成してなるものである。
【００１４】
即ち、化粧料容器本体（５）に一体に形成される口筒部（１７）に対して、シゴキ体（１４）をフランジ（１５）と共にその内部において挟持するように口ネジ体（７）を装着し、該口筒部（１７）上部の外周面に刻設される雄ネジ（１９）に対して、口ネジ体（７）の内周面に刻設される雌ネジ（１０’）を噛合させると共に、該口ネジ体（７）を形成する径大部（１０）内周端縁（１１）に設けられた口ネジリブ（１２）を構成する各突条体（１３）と、前記円筒状の口筒部（１７）下部において一体に形成された本体リブ（２０）を構成する各係合体（２１）の係合面（２３）とを係合固定することで、該口ネジ体（７）、シゴキ体（１４）及び口筒部（１７）とが一体となって、当該雄ネジ部（６）を構成してなるものである。
【００１５】
この発明の実施例である液状化粧料容器（１）の雄ネジ部（６）は以上のように構成されるので、その組み立てに当たっては、まず化粧料容器本体（５）に一体に形成される口筒部（１７）に対して、シゴキ体（１４）をその内部に挟持するように口ネジ体（７）を装着し、該口筒部（１７）上部の外周面に刻設される雄ネジ（１９）に対して、該口ネジ体（７）の径大部（１０）内周面に刻設される雌ネジ（１０’）を噛合させる。このとき、該口ネジ体（７）の径大部（１０）内周面に刻設される雌ネジ（１０’）と該口筒部（１７）上部の外周面に刻設される雄ネジ（１９）とを深く噛合させるべく、該口ネジ体（７）を回動させるにつれ、口筒部（１７）と口ネジ体（７）との内部で口ネジ体（７）に挟持されるシゴキ体（１４）のフランジ（１５）は、口筒部（１７）と口ネジ体（７）の間で、その噛合による力で挟み込まれ確実に固定され、キャップ（２）に一体に装着される塗布体（３）を繰り返して挿脱しても、該塗布体（３）に付着する過剰な液状化粧料を確実に拭うことができるものである。
【００１６】
更に、該口ネジ体（７）を化粧料容器本体（５）に一体に形成される口筒部（１７）に対して噛合させつつ回動させることにより、最終的に、該口ネジ体（７）を形成する径大部（１０）の内周端縁（１１）において半径内方向に向かって突出する突条体（１３）を均等に配置してなる口ネジリブ（１２）と、該円筒状の口筒部（１７）下部において一体に形成され、半径外方向に突出する係合面（２３）とネジ締め付け方向に向かって膨出するように形成される湾曲面（２２）とからなる略三角柱状の係合体（２１）を均等に配置してなる本体リブ（２０）とが当接する事となる。
【００１７】
そして、更に口ネジ体（７）をネジ締め付け方向に回動させると、該口ネジ体（７）の口ネジリブ（１２）を構成する突条体（１３）が、該化粧料容器本体（５）に一体に形成される口筒部（１７）の本体リブ（２０）を構成する略三角柱状の係合体（２１）の湾曲面（２２）に沿って締め付け方向に円滑に摺動して行き、該口筒部（１７）の本体リブ（２０）における係合体（２１）のネジ締め付け方向に向かって膨出するように形成される湾曲面（２２）の終端を越えた途端、口ネジ体（７）の口ネジリブ（１２）における各突条体（１３）と、該口筒部（１７）の本体リブ（２０）を構成する係合体（２１）の係合面（２３）とが強固に係合するものとなる。
【００１８】
従って、その状態で該口ネジ体（７）を該化粧料容器本体（５）に一体に形成される口筒部（１７）に対してネジ緩め方向に回動させようとしても、該口ネジ体（７）の口ネジリブ（１２）における突条体（１３）と、該口筒部（１７）の本体リブ（２０）における略三角柱状の係合体（２１）の該係合面（２３）との強固な係合により回動が阻止されて固定される結果、例えば漏出した液状化粧料が乾固してキャップ（２）が口ネジ体（７）に固着してしまい、これを離脱さすべく大きな回転力をキャップ（２）にかけても、雄ネジ部（６）を構成する口ネジ体（７）はキャップ（２）と共に共回りすることがないので、該化粧料容器本体（５）に一体に形成される雄ネジ部（６）とキャップ（２）内に内装される雌ネジ部（４）との噛合に対して正確に大きな力を加えることができ、円滑且つ確実にキャップの離脱を行うことができるものとなる。
【００１９】
また、上記化粧料容器本体（５）の雄ネジ部（６）は、化粧料容器本体（５）に一体に形成される口筒部（１７）に対してシゴキ体（１４）と共に口ネジ体（７）を噛合させつつ、最終的には互いの本体リブ（２０）と口ネジリブ（１２）との係合によりネジ緩み方向へは回動が確実に規制されるので、化粧料容器本体（５）の雄ネジ部（６）にキャップ（２）の反復する脱着によるガタ等は生じにくく、化粧料容器本体（５）内の液状化粧料が漏出してしまう等の不具合は発生し難いものである。
【００２０】
尚、口ネジ体（７）の口ネジリブ（１２）を構成する突条体（１３）が、口筒部（１７）の本体リブ（２０）における係合体（２１）の湾曲面（２２）の終端を越えて、該係合体（２１）の係合面（２３）と係合した時に、同時に口ネジ体（７）の口筒部（１７）に対するネジ締め付け方向への回動を停止させるべく、径小部（８）外周にストッパー等を位置決めして設置すれば、化粧料容器本体（５）の雄ネジ部（６）へのキャップ（２）の着装に際しても、口ネジ体（７）の径大部（１０）内周面に刻設された雌ネジ（１０’）と口筒部（１７）の上部外周面に刻設された雄ネジ（１９）との噛合間に、余分な力が付加されず、より一層化粧料容器本体（５）の雄ネジ部（６）にガタ等が生じにくくなるものである。
【００２１】
【発明の効果】
以上の通り、化粧料容器本体の雄ネジ部を構成する雄ネジ体を、シゴキ体を挟持しつつ口ネジ体を化粧料容器本体と一体に形成される口筒部に対して噛合させ、更に口筒部の本体リブと口ネジ体の口ネジリブとの係合により一体に固定して構成することで、部品点数や製造作業における製造工程を減らして製造コストの削減を実現するだけでなく、従来例においては必要であったカバー体の口筒部に対するカシメ部をなくすことで、キャップの回転に基づく回転トルクによるカバー体のカシメ部の緩みや変形を防止して、雄ネジ部のガタツキの発生を防止し、化粧料容器本体とキャップとの着脱を円滑にするという優れた効果を有するものである。
【図面の簡単な説明】
【図１】この発明の実施例である液状化粧料容器の外観斜視図である。
【図２】この発明の実施例である液状化粧料容器の縦断面図である。
【図３】この発明の実施例である液状化粧料容器の雄ネジ部の要部拡大断面図である。
【図４】この発明の実施例である液状化粧料容器の分解斜視図である。
【図５】この発明の実施例である口ネジ体の下方よりの斜視図である。
【符号の説明】
１  液状化粧料容器
２  キャップ
３  塗布体
４  雌ネジ部
５  化粧料容器本体
５’  （化粧料容器本体の）肩部
６  雄ネジ部
７  口ネジ体
８  径小部
９  雄ネジ
１０  径大部
１０’  雌ネジ
１１  内周端縁
１２  口ネジリブ
１３  突条体
１４  シゴキ体
１５  フランジ
１６  シゴキ
１７  口筒部
１８  孔部
１９  雄ネジ
２０  本体リブ
２１  係合体
２２  湾曲面
２３  係合面
【図１】
2005034230.tif 000003
【図２】
2005034230.tif 000004
【図３】
2005034230.tif 000005
【図４】
2005034230.tif 000006
【図５】
2005034230.tif 000007